Podtech/llm-jp-corpus-v4-ja_patent huggingface dataset:
(57)【要約】【課題】マルチコプターによる、充分な洗浄効果を得つつ、洗浄作業の負担を軽減できる被洗浄面の洗浄方法を提供することを目的とする。【解決手段】マルチコプター液剤散布装置1から噴霧した液体洗浄剤をマルチコプターのダウンウォッシュにより被洗浄面を洗浄する方法であって、マルチコプターを飛行させながら前記液体洗浄剤を噴霧する噴霧工程と、前記被洗浄面における前記液体洗浄剤が噴霧された部分の少なくとも一部を擦らずに前記液体洗浄剤を濯ぎ流す工程と、を有する、被洗浄面の洗浄方法。【選択図】図１
2020108872.tif 000002
【特許請求の範囲】
【請求項１】
マルチコプター液剤散布装置から噴霧した液体洗浄剤をマルチコプターのダウンウォッシュにより被洗浄面を洗浄する方法であって、マルチコプターを飛行させながら前記液体洗浄剤を噴霧する噴霧工程と、前記被洗浄面における前記液体洗浄剤が噴霧された部分の少なくとも一部を擦らずに前記液体洗浄剤を濯ぎ流す工程と、を有する、被洗浄面の洗浄方法
【請求項２】
前記液体洗浄剤（Ａ）成分：植物性非イオン系面活性剤を含む界面活性剤と、（Ｂ）成分：次亜塩素ナトリウムと、（Ｃ）成分：アルカリ剤とを含有し、前記液体洗浄剤の総質量に対して、前記（Ａ）成分が０．１〜５．０質量％であり、前記（Ｂ）成分が6.0〜12.0質量％であり、２５℃におけるｐＨが１０．１以上１3．０未満である、請求項１に記載の被洗浄面の洗浄方法。
【発明の詳細な説明】
【発明の概要】
【発明が解決しようとする課題】
【０００１】
マルチコプターによる、充分な洗浄効果を得つつ、洗浄作業の負担を軽減できる被洗浄面の洗浄方法を提供することを目的とする。
【課題を解決するための手段】
【０００２】
マルチコプター液剤散布装置の噴霧口から噴霧した液体洗浄剤をマルチコプターのダウンウォッシュにより被洗浄面を洗浄する方法であって、マルチコプターを飛行させながら前記液体洗浄剤を噴霧する噴霧工程と、前記被洗浄面における前記液体洗浄剤が噴霧された部分の少なくとも一部を擦らずに前記液体洗浄剤を濯ぎ流す工程と、を有する、被洗浄面の洗浄方法。
【発明の効果】
【０００３】
従来は足場を準備して、こすり洗いを行うために被洗浄面が傷み、汚れやすくなる。また作業に時間がかかり、危険で重労働である。
今回の発明ではマルチコプターによる被洗浄面を洗浄する方法で、足場・危険作業・重労働・被洗浄面の傷みを無くし、請求項２の液体洗浄剤を使用することで短時間で広範囲の作業が可能になる。
【図面の簡単な説明】
【０００４】
【図１】マルチコプター液剤散布装置1
【産業上の利用可能性】
【０００５】
ソーラーパネル洗浄への利用
【０００６】
温室（ビニールハウス・ガラスハウス）の洗浄
【図１】
2020108872.tif 000003
(57)【要約】【課題】この発明は、燃料タンクの残量をある程度正確にかつ簡単に読み取れるようにする事を課題とするものである。【解決手段】構成としては、以下のとおりである。燃料タンクの燃料計の、液面の上下を示す方向すなわち針の移動方向をＸ軸とし、針の指し示す方向をＹ軸とする。その、針がし示す燃料タンクの位置Ｘの燃料タンクの断面を線分とした図形（残量の図形）を、従来であれば目盛を表示してあるところに表示する。【選択図】図２
2020012460.tif 000002
【特許請求の範囲】
【請求項１】
燃料タンクの燃料計の、液面の上（満タン側）から下（空側）を示す方向をＸ軸とし、針の指し示す方向をＹ軸とした場合、Ｘ軸方向は液面の高さ、Ｙ軸方向へはそのＸ軸の位置に相当するタンクの液面に於ける燃料タンクの断面積を現す線分で現した図形を、針またはＸ軸に沿って表示した図２の燃料計。
【発明の詳細な説明】
【産業上の利用分野】
【０００１】この発明は、燃料タンクの燃料計において、残量を感覚的にある程度正確に読み取れるようにするものである。
【背景技術】
【０００２】自動車に装備されている計器のひとつに、燃料計がある。
速度計、走行距離計とともに、あとどれくらい走行できるかを推測するために、燃料の残量の情報を得るのに必要なものである。
基本的な構造としては、燃料タンク内にフロートを浮かべ、その位置（液面）の上下を直接機械的に、または電気的に伝えて燃料計の針で示し、燃料計の目盛りの表示から燃料の残りを読み取るものである。
フロートを含むセンサの改良や、表示するメーターをデジタル化するなどの進歩はあったものの、基本的には、燃料の液面の位置を表示するだけである事に関しては、大きな変化はない。
【従来の技術に於ける問題点】
【０００３】燃料タンクが、単純な直方体や円柱など、どの高さにおいても断面積が同じであれば、燃料計の針が指し示す残量は正確である。しかし、自動車等の進歩で、燃料タンクの形状が複雑になり、断面積の大きな場所と小さな場所では燃料の増減によって針が降下する速度が違ってしまい、メーターで示された残量は不正確となってしまった。
また、オートバイなどにおいては、その構造上そもそもタンク形状は複雑であり、以前より燃料計は目安程度にしか使われなかった。
一方で、正確な燃料の残量を表示するため、電子的に計算して絶対数量を表示する方法などが試みられもしたが、構造が複雑になり、相応のコストがかかるため、広く普及はしてはいない。
【本発明の目的】
【０００４】本発明に於いては、絶対的な数量や正確さを求めるのではなく、大よその残量を把握するための手段を、簡便かつ低コストで提供するものである。
【課題を解決するための手段】
【０００５】構成としては、以下のとおりである。
燃料タンクの燃料計の、液面の上下を示す方向すなわち針の移動方向をＸ軸とし、針の指し示す方向をＹ軸とする。
その、針が指し示す燃料タンクの位置Ｘの燃料タンクの断面を線分とした図形（以下、「残量の図形」と呼称）を、従来であれば目盛を表示してあるところ（針またはＸ軸に沿った部分）に表示する。
【実施例および作用、効果】
【０００６】タンクの体積が燃料計に面積で表され、針によりその液面の位置が読み取れるので、感覚的におよその燃料の残量を読み取る事ができる。
実際の運転では、スピードや道路状況などで燃料消費量は随時変化するため、絶対量ではなく、およその残量が分かればよい。
【０００７】最近の自動車においては、燃料計に針と目盛を使ない、デジタル燃料計も使われている。ＬＥＤや液晶でブロック状のバーの表示で燃料の残量を示す物であるが、その場合にもブロックを全体として燃料タンクの体積を面積に変換した図形を使う事により（ただし、空になった部分も表示する必要がある）、同様の効果は得られる（図４）。
【発展および考察】
【０００８】本発明に於いて優れている点として、表示の変更だけで済むことから、ほぼ、コストが掛からないということが挙げられる。
また、旧式な燃料計に於いては、燃料計又は針が指し示す傍らに残量の図形のシールなどを貼ることによって、同様の効果を得る事も可能である。
【図面の簡単な説明】
【０００９】
【図１】  針表示とデジタル表示の燃料計におけるＸ軸とＹ軸
【図２】  単純な角錐形の燃料タンクと燃料計の例
【図３】  複雑な形の燃料タンクの例
【図４】  複雑な形の燃料タンクのデジタルメーターにおける例
【符号の説明】
【００１０】１  は、燃料計
２ａは、Ｘ軸
２ｂは、Ｙ軸
３  は、燃料タンク
４  は、残量の図形
５  は、燃料の液面
【図１】
2020012460.tif 000003
【図２】
2020012460.tif 000004
【図３】
2020012460.tif 000005
【図４】
2020012460.tif 000006
(57)【要約】【課題】鉛を含まない環境に優しい点火玉を得る。【解決手段】ニクロム酸アンモニウムとニトロセルロースを主要な発火のための機能成分としその燃焼を継続するための成分として硝酸カリウムなどの酸化剤とマグナリウムなどの金属粉末を配合する。【選択図】図１
2020012625.tif 000002
【特許請求の範囲】
【請求項１】
重クロム酸カリウム等、ニクロム酸塩（重クロム酸塩）を主たる機能成分とした点火玉用火薬
【請求項２】
ニクロム酸アンモニウム（重クロム酸アンモニウム）を主たる機能成分とする点火玉用火薬
【請求項３】
ニクロム酸アンモニウムを発火剤の主たる機能成分としニトロセルロースおよび硝酸カリウムや塩素酸カリウム等の酸化剤を配合した火薬を支燃剤としマグナリウムなどの燃焼持続力および伝火能力を有する金属粉末を配合した点火玉用火薬
【請求項４】
請求項３の点火玉用火薬に適した点火玉構造
【発明の詳細な説明】
【技術分野】
【０００１】本発明は火薬類に電気点火するための点火玉用の火薬に関する【０００２】一般に電気点火に使用する点火玉にはチオシアン酸鉛と塩素酸カリウムを主成分とした火薬が用いられるほか、クロム酸塩類を用いたものも先願特許には存在するがニクロム酸塩を用いたものは見いだせなかった。
【先行技術文献】
【０００３】
【特許文献】
【特許文献】特開平１１−２８７４４２（特願平１０−１０１７２７）
【発明の概要】
【発明が解決しようとする課題】
【０００３】チオシアン酸鉛を使用すると環境中に有害な鉛が拡散するため鉛を使用しないで実用的な点火玉を得る必要があった
【課題を解決するための手段】チオシアン酸鉛を用いず、ニクロム酸塩を用いて点火玉を発火させることによる
【発明の効果】
【０００４】環境中に有害な鉛が拡散しないので人体等に健康影響を及ぼさない。６価クロムを使用しているが量は微量でしかも環境中および使用中に安全な３価クロムに還元されることが多いと考えられるため問題は鉛よりはるかに少ないと考えられる。
また併用するニトロセルロースは６価クロムにより酸化されやすい水酸基が硝酸基により保護されるため安定に並存し長期保存に耐えられる。
【実施例】
【０００５】ニクロム酸アンモニウム        ０．５ｇ
硝酸カリウム                  ０．５ｇ
ニトロセルロース（弱綿薬）    １．５ｇ
アセトン                      ８．０ｇ
上記をよく混和した液中に図に示した直径０．０５ｍｍ長さ５ｍｍのコンスタンタン線電橋つきの電線を浸し引き上げれば膜状に粘液が付着する。これを常温乾燥すれば点火玉の完成となる。火薬の量を増やしたければアセトンを減らすか繰り返し浸す回数を増やせばよい
【図面の簡単な説明】
【０００６】
【図１】本発明の点火玉火薬に適した通電用電橋部と脚線の外形図
【図２】点火玉火薬を付着せしめた部分の断面図
【符号の説明】１  コンスタンタン線（直径０．０５ｍｍ）
２  電線の被覆を除いた部分
３  点火玉用火薬を膜状に付着させた部分
４  電線（脚線）
５  電線の被覆を除き点火電源を接続する部分
Ａ，Ｂ  図２の断面図を表示した部分
【図１】
2020012625.tif 000003
【図２】
2020012625.tif 000004
(57)【要約】【課題】小型化、薄型化が可能なフロート及び検出精度が良い液面検出装置を提供する。【解決手段】本発明のフロートＦは、比重が０．１６から０．１８の範囲にあることを特徴とする。本発明の液面検出装置１は、液面から一部が露出して浮くフロートＦと、一端がフロートＦに係止され、他端が回動部２に接続されるフロートアームＦＡと、を備えたことを特徴とする。【選択図】図１
2020012638.tif 000002
【特許請求の範囲】
【請求項１】
比重が０．１６から０．１８の範囲にあること
を特徴とするフロート。
【請求項２】
ニトリルゴムと、フェノール樹脂からなる独立気泡発泡フロートであること
を特徴とする請求項１に記載のフロート。
【請求項３】
液面から一部が露出して浮く請求項１に記載のフロートと、
一端がフロートに係止され、他端が回動部に接続されるフロートアームと、
を備えたこと
を特徴とする液面検出装置。
【発明の詳細な説明】
【技術分野】
【０００１】
本発明は、フロート及びフロートを用いた液面検出装置に関するものである。
【背景技術】
【０００２】
液面を検出するフロートとして、例えば、特許文献１に開示されるものがある。
【０００３】
特許文献１に示されるフロートは、樹脂発泡品からなり検出対象の液面から一部が露出した状態で浮くことで、液面検出に用いられるものであり、その比重は０．２５から０．６０の範囲のものである。
【先行技術文献】
【特許文献】
【０００４】
【特許文献１】特開昭５８−１１１７２２号公報
【発明の概要】
【発明が解決しようとする課題】
【０００５】
燃料タンクの薄型化に伴い、燃料タンク底面付近の残燃料を、より精度良く測定するニーズが高まっている。
【０００６】
本発明は、上記に鑑みてなされたものであり、小型化、薄型化が可能なフロート及び検出精度が良い液面検出装置を提供することを目的とする。
【課題を解決するための手段】
【０００７】
本発明のフロートは、
比重が０．１６から０．１８の範囲にあること
を特徴とする。
【０００８】
フロートは、
ニトリルゴムと、フェノール樹脂からなる独立気泡発泡フロートであること
を特徴とする。
【０００９】
液面検出装置は、
液面から一部が露出して浮くフロートと、
一端がフロートに係止され、他端が回動部に接続されるフロートアームと、
を備えたこと
を特徴とする。
【発明の効果】
【００１０】
本発明によれば、小型化、薄型化が可能なフロート及び検出精度が良い液面検出装置を提供できる。
【図面の簡単な説明】
【００１１】
【図１】本発明の一実施形態を示すフロートの図。
【図２】本発明の位置実施形態を示す液面検出装置の図。
【図３】本発明の別の実施形態を示すフロートの図。
【発明を実施するための形態】
【００１２】
以下に、本発明の一実施形態に係る振動検出装置を添付図面に基づいて説明する。
【００１３】
本発明によるフロートＦは、図１に示すように、ニトリルゴムと、フェノール樹脂からなる独立気泡発泡フロートであり、幅Ｗ、長さＬ、厚みＴの角丸の直方体形状で、フロートアーム貫通孔Ｈを備えている。ニトリルゴムのニトリル含有量を増加させることによってフロート内部の気泡の割合を高め、幅Ｗを略２７ｍｍ、長さＬを略５０ｍｍ、厚みＴを略１０ｍｍとすることによって、比重は０．１６から０．１８の範囲となる。また、ニトリル含有量を高めたことによって、従来のフロートと同程度の耐油性を備えている。なお、上記構成においては、比重が０．１６未満の場合にヒケが生じ、所望の形状が保てないことが経験上判明している。
【００１４】
液面検出装置１は、図２に示すように、フロートＦと、一端がフロートＦ、他端が回動部２に接続されたフロートアームＦＡを備え、液面の変動に伴い回動する回動部２と接触する抵抗値の変化を、電気コード３を介して図示しないメーターなどの外部装置に伝達するものである。
【００１５】
フロートの比重を０．１６から０．１８にすることによって浮力に余裕が生じるので、フロートを小型化、薄型化することができ、よりタンク底面に近い範囲での液面検出が可能となる。
【００１６】
したがって、小型化、薄型化が可能なフロート及び検出精度が良い液面検出装置を提供することができる。
【００１７】
また、フロートアームＦＡを従来よりも重くすることができるので、フロートアーム形状の自由度が向上する。
【００１８】
本発明は、上記実施形態に限定するものではなく、種々の変形が可能である。上述の実施形態では、フロートの形状を角丸の直方体形状の場合を例示したが、十分な浮力を得ることができれば、フロートの形状は図３（ａ）に示すような円柱形状や図３（ｂ）に示すような円柱形状の一部（底面部）を平らにした形状などであってもよい。
上述の実施形態では、液面検出装置が摺動抵抗式である場合を例示したが、非接触の磁気検出式であってもよい。
【産業上の利用可能性】
【００１９】
本発明は、液面を検出する液面検出装置及びそのフロートに好適である。
【符号の説明】
【００２０】
１      液面検出装置
２      回動部
３      電気コード
Ｆ      フロート
Ｆ１    フロート
Ｆ２    フロート
ＦＡ    フロートアーム
Ｌ      長さ
Ｔ      高さ
Ｗ      幅
【図１】
2020012638.tif 000003
【図２】
2020012638.tif 000004
【図３】
2020012638.tif 000005
(57)【要約】      （修正有）【課題】野球のプレーのヘッドスライディングをした際、ズボンの中に土が入ることを防ぐエプロンを提供する。【解決手段】取外しが簡単な小さなエプロンを付けることでヘッドスライディングをする時に、ズボンの中に土が入ることを防ぐ。【選択図】図１
2020012220.tif 000002
【特許請求の範囲】
【請求項１】
土よけエプロンがあれば、ヘッドスライディングをした時に、土がズボンの中に入らない。
【請求項２】
付け外しが簡単である。
外してユニホーム同様、洗濯が出来る。
【請求項３】
刺繍等で、自己主張や宣伝も出来る。
【発明の詳細な説明】
【０００１】本発明は、野球のヘッドスライディングをした時にズボンの中に土が入らないようにするものである。
【０００２】従来は、野球のヘッドスライディングをした時に、ズボンの中に土が入り、下着の中まで土が入り不快そのものである。
【０００３】土よけエプロンを付けてプレーすれば、気持ちよくヘッドスライディングが出来るので、プレーに変化が出てくる。特にファーストベースからのリードに変化が出る。ピッチャーには気の毒ですが。
【０００４】土よけエプロンに、ニックネームやファイトの気持ちの刺繍等をして、見る目も本人も気持ちに高揚が生まれる。
【０００５】縦横の幅は使用上で変化も可能。生地はユニホームの布相当。
【０００６】機能性を考えて、付け外し簡単に三カ所マジックテープでもよい。
【図１】
2020012220.tif 000003
【図２】
2020012220.tif 000004
【手続補正書】
【提出日】平成30年11月20日(2018.11.20)
【手続補正１】
【補正対象書類名】明細書
【補正対象項目名】全文
【補正方法】変更
【補正の内容】
【発明の詳細な説明】
【０００１】本発明は、野球のヘッドスライディングをした時にズボンの中に土が入らないようにするものである。
【０００２】従来は、野球のヘッドスライディングをした時に、ズボンの中に土が入り、下着の中まで土が入り不快そのものである。
【０００３】土よけエプロンを付けてプレーすれば、気持ちよくヘッドスライディングが出来るので、プレーに変化が出てくる。特にファーストベースからのリードに変化が出る。ピッチャーには気の毒ですが。
【０００４】土よけエプロンに、ニックネームやファイトの気持ちの刺繍等をして、見る目も本人も気持ちに高揚が生まれる。
【０００５】縦横の幅は使用上で変化も可能。生地はユニホームの布相当。
【０００６】機能性を考えて、付け外し簡単に三カ所マジックテープでもよい。
【図面の簡単な説明】
【０００７】
【図１】野球のユニホームの腰ベルトの少し上にボタンを利用して、小さなエプロンを付ける。止め方は同じ高さにボタンを左右につけてヘッドスライディングした時に上着とズボンの間に土が入らないようにするものである。
【図２】エプロンの縦幅横幅の寸法とボタンかがりかマジックテープでもエプロンを取り付けられるようにした図です。
(57)【要約】      （修正有）【課題】高齢者で非力な人、又は指先や爪に不具合の有る人であっても錠剤を容易に取り出す事ができる小型で安価な器具を提供する。【解決手段】錠剤の個装フィルム折り曲げリブ５と錠剤の個装フィルム折り曲げ穴及び取り出し口２・３からなり錠剤部分のみを突き出すのではなく、錠剤の個装フィルムを８の様に折り曲げる事で錠剤を取り出す力を小さくする。本器具を使うことにより錠剤を取り出すのに不自由していた方が錠剤を容易に取り出すことが出来る。【選択図】図３
2020185356.tif 000002
【特許請求の範囲】
【請求項１】
錠剤を容易に取り出す為の、個装フィルム折り曲げリブと折り曲げ穴及び取り出し口からなる器具。
【発明の詳細な説明】
【技術分野】
【００１】本発明は、高齢者や指先に不具合の有る人が錠剤を容易に取り出す為の小型で安価な器具に関する。
【背景技術】
【００２】従来は錠剤部分のみを突き出す物で、それなりの力が必要で有る為に器具が複雑で大きく高価な物で有った。
【発明が解決しようとする課題】
【００３】錠剤を取り出す力を小さくすることにより器具を単純で小さく安価な物を提供する。
【課題を解決するための手段】
【００４】錠剤部分のみを突き出すのではなく、錠剤の個装フィルムを折り曲げる事で錠剤を取り出す力を小さくし、
それにより、器具を単純で小さく安価な物を提供する。
【発明の効果】
【００５】錠剤を取り出すのに、不自由をしていた方に小型で安価な取り出し器具を提供することが出来る。
【図面の簡単な説明】
【００６】
【図１】本発明の正面図
【図２】本発明の側面図
【図３】本発明の使用手順１
【図４】本発明の使用手順２
【図５】本発明使用後の錠剤と個装フィルムの形状
【符号の説明】
【００７】１    本体
２    ６ｍｍ以上の錠剤折り曲げ穴及び取り出し口
３    ５ｍｍ以下の錠剤折り曲げ穴及び取り出し口
４    位置決めリブ部分ガイド穴
５    個装フィルム折り曲げ用リブ
６    位置決めリブ
７    本体折り曲げ部（バネ）
８    本器具を使用し個装フィルムが折れ曲った状態
2020185356.tif 000003
【図３】
2020185356.tif 000004
2020185356.tif 000005
(57)【要約】【課題】従来ワインクーラーから冷えたボトルを取り出す際ナプキンをその都度広げて使用し、使用後再び畳まなければならないという手間がはぶけ、又保冷効果を高める便利なナプキンを提供する。【解決手段】ナプキンのひとつの角近くに直径３．５ｃｍの丸穴を開けワインクーラー内のボトルの首部に本発明のナプキンを通して広げ、クーラー全体を覆う。ワインクーラーから出ているボトルの首部を持ち上げ、覆ってあるナプキンでボトルをくるむ様に取り上げる。【特許請求の範囲】
【請求項１】
ナプキンの１つの角から７．５ｃｍ〜８ｃｍの位置に直径３．５ｃｍの丸穴を開けワイン又はシャンパンボトルの首部に通しボトルごとワインクーラーに入れ全体を覆う。
【発明の詳細な説明】
【発明の概要】
【課題】
氷の入ったワインクーラーからボトルを取り出す際その都度ナプキンを広げてボトルを取る作業が不必要なワインサーブ用ナプキンを提供する。
【解決手段】
ナプキンの一部にボトル首部大の穴を開けワインクーラーに冷やしてあるボトルに通す。通したナプキン全体を広げワインクーラーを覆えば冷気を逃さず、つぐ際にボトルをナプキンでくるみ取り出しつげる様になっている。
【発明の効果】
本発明のナプキンを使用する事で、従来行っていた“取って、広げて、再びテーブルにナプキンを戻す”という手間が省けると同時にワインクーラーをナプキンで覆う事で保冷効果が高まり、より冷たくなる。
【図面の簡単な説明】
【図１】本発明のナプキンで丸穴を開けた図である。
【図２】本発明のナプキンの丸穴からボトルを通しワインクーラーを覆った図である。
【図１】
2020185358.tif 000002
【図２】
2020185358.tif 000003
(57)【要約】      （修正有）【課題】本発明はミシンの糸の摩擦による各部特に針のダメージを減らし、縫製をしながら撥水糸を作るろうワックスを提供する。【解決手段】ドーナツ型のろうワックス１を設け、外周部を台形に形成し、背面に密着や破損を防止する膜を設け、ろうワックスを作動させるための、凹型の枠を設け、枠両サイドに糸穴４ａ、４ｂを設け、枠中央部にネジ山を設ける。ろうワックスを安定させるためのボルト柱６を設け、頭部にマイナス溝を設け、下部に固定ナットを設け、ろうワックスを乗せる円盤型の受け皿９を設け、中央部にネジ山を設ける。ろうワックスおさえるドーナツ型のおさえ皿１１を設け、ろうワックスに強弱の圧力を加えるスプリング１２を設ける。スプリングをおさえるおさえ皿１３を設ける。圧力を調整するナット１４を設ける。ろうワックスを構成した枠を取り付けるＬ型のステー１５を設け、背面にマグネットを設け、ステー両先端部に穴を設ける。【選択図】図４
2020185359.tif 000002
【特許請求の範囲】
【請求項１】
ドーナツ型のろうワックスを設け、ろうワックス外周部を台形に形成し、背面に密着や破損防止の膜を設けたろうワックス
【請求項２】
ろうワックスを作動させるための凹型の枠を設け、枠両サイドに糸穴を設け、枠中央部にネジ山を設けた枠
【請求項３】
ろうワックスを安定させるためにボトル柱を設け、頭部にマイナス溝を設け、下部に固定ナットを設けたボルト柱
【請求項４】
ろうワックスを乗せる円盤型の受け皿を設け、中央部にネジ山を設けた受け皿  ろうワックスをおさえるドーナツ型のおさえ皿を設け、おさえ皿上にスプリングを設けスプリング上にドーナツ型のおさえ皿を設け、おさえ皿上に調整ナットを設けたろうワックスを構成する部品
【請求項５】
Ｌ型の取り付けステーを設け、背面にマグネットを設け、Ｌ型両先端に穴を設け、ステーを固定するナットを設けた取り付けステー
【発明の詳細な説明】
【持術分野】
【０００１】本発明は、ミシン作動時のミシンや針を、糸の摩擦によるダメージを減らし、撥水糸を作るろうワックスに関するものである。
【背景技術】
【０００２】従来、ミシンによる縫製工程は、針と糸の調子に常に気配りしながら作動していた
【発明の開示】
【発明が解決しようとする課題】
【０００３】ミシンの作動中、糸が通る各部や針は糸による摩擦で、常に大きなダメージを受けている。そのために、特に針は損傷が起き、頻繁に交換をしていた。また縫製をしながら糸が撥水になる方法もなかった。本発明は、以上の問題点を解決するためになされたものである。
【課題を解決するための手段】
【０００４】ドーナツ型の、ろうワックスを設け、外周部を台形に形成し、背面に密着や破損を防止する膜を設ける。ろうワックスを作動させるための、凹型の枠を設け、枠、両サイドに糸穴を設け、枠、中央部にネジ山を設ける。ろうワックスを安定させるためのボルト柱を設け、頭部にマイナス溝を設け下部に固定ナットを設ける。ろうワックスを乗せる円盤型の受け皿を設け、中央部にネジ山を設ける  ろうワックスをおさえる、ドーナツ型のおさえ皿を、設ける。ろうワックスに強弱の圧力を加えるスプリングを設ける。スプリングをおさえる、おさえ皿を設ける。圧力を調整するナットを設ける。ろうワックスを構成した枠を取り付けるＬ型のステーを設け、背面にマグネットを設け、ステー、両先端部に穴を設ける。
以上の構成よりなるろうワックス
【発明の効果】
【０００５】本発明においては、糸が通るミシン各部や、針へのダメージを減らすために、ろうワックスを使用することにより、糸にろうワックスが付着し、ミシンの作動が円滑になり、針へのダメージが大巾に減り、針の寿命が長くなる。寿命が長くなることで針の交換も減り、コストの削減になり、針、交換による作業ストップの無駄も省ける。また、ミシンの作動が円滑になることにより、電力消費量がおさえられ経済的である。ろうワックスを構成した枠は、Ｌ型ステーにより、平面、側面、の取り付け位置を決めればマグネットで固定され工事不要である。【０００６】また、ろうワックスによりミシン作動中、縫製をしながら糸が撥水糸になり、ろうワックスが施こされた糸は、強くなり、この糸で縫製された製品は長持ちする。撥水製品を縫製しても、縫い目にはスキ間ができるため、撥水スプレーでスキ間を埋めるが長持ちしない。ろうワックスを施した糸は縫い目のスキ間を埋めるため撥水効果も大きい。
【発明を実施するための最良の形態】
【０００７】以下、本発明の実施の形態を説明する。
（イ）ドーナツ型のろうワックス（１）を設け、ろうワックス（１）外周部を台形（１ａ）に形成し、背面に膜（２）を設ける。
（ロ）ろうワックス（１）を構成する凹型の枠（３）を設け、枠（３）両サイドに糸穴（４ａ）、（４ｂ）を設け、枠中央部にネジ山（５ａ）を設ける。
（ハ）ろうワックス（１）を安定させるボルト柱（６）を設け、頭部にマイナス溝（７）を設け、下部にナット（８）を設ける。
（ニ）ろうワックス（１）を乗せる円盤型の受け皿（９）を設け、中央部にネジ山（１０ａ）を設ける。
（ホ）ろうワックス（１）をおさえるドーナツ型のおさえ皿（１１ａ）を設ける。
（ヘ）ろうワックス（１）に強弱の圧力を加えるスプリング（１２）を設ける。
（ト）スプリング（１）をおさえるおさえ皿（１３ｂ）を設ける。
（チ）圧力を調整するナット（１４）を設ける。
（リ）Ｌ型の取り付けステー（１５）を設け、背面にマグネット（１６）を設け、Ｌ型両先端に穴（１７ａ）、（１７ｂ）を設ける。
本発明は以上のような構造である。
本発明を使用するときは、ミシンへの取り付ける位置を決め、平面か側面によりステー（１５）の穴（１７ａ、）（１７ｂ）を選び、枠（３）中央部より貫通しているボルト柱（６）に合わせ、ナット（１８）でとめる。ろうワックス（１）が構成された枠（３）をミシンの取り付け位置におけばマグネットが働き固定される。
枠（３）の糸穴（４ａ）に糸を通しろうワックス（１）と受け皿（９）の間に糸をはさみこみ受け皿（９）を、回してろうワックス（１）の高さを調整する。調整が済めば糸穴（４ｂ）を通し、ミシン各部を経て針に導き、糸の張り具合を見てろうワックス（１）の圧力を調整ナット（１４）で調整する。ナット（１４）をゆるめれば、ろうワックス（１）の付着が少なく、強めれば付着が多くなる
また、ろうワックス（１）を回すことで当り面が均等になり、片減りを防ぐことができる。
【図面の簡単な説明】
【０００８】
【図１】本発明の斜視図
【図２】本発明の斜視図
【図３】本発明の分解斜視図
【図４】本発明の構成斜視図
【図５】本発明の使用状態の斜視図
【符号の説明】
【０００９】（１）ろうワックス、（１ａ）台形、（２）、膜、（３）凹型枠  （４）糸穴ａ、ｂ  （５ａ）、ネジ山  （６）ボルト柱、（７）マイナス溝、（８）ナット、（９）受け皿、（１０ａ）ネジ山、（１１ａ）おさえ皿、（１２）スプリング  （１３ｂ）おさえ皿、（１４）調整ナット、（１５）Ｌ型ステー、（１６）マグネット、（１７）取り付け穴ａｂ、（１８）、固定ナット  （１９）ミシン  （２０）糸
【図１】
2020185359.tif 000003
【図２】
2020185359.tif 000004
【図３】
2020185359.tif 000005
【図４】
2020185359.tif 000006
【図５】
2020185359.tif 000007
(57)【要約】【課題】  食器又は調理器具洗浄用スポンジをより衛生的に場所をとることなく乾燥可能とすること。【解決手段】  ネットで覆われた、スポンジ（１）内に磁石（２）を備え、磁石（２）がスポンジ（１）の平面視略中央かつスポンジ（１）の厚さ方向略中心に配置され、磁性体で形成されたシンク（２０）の内部側壁に磁石（２）によって着脱自在に取りつけられる食器又は調理器具洗浄用スポンジ（１０）。【選択図】図１
2020185357.tif 000002
【特許請求の範囲】
【請求項１】
スポンジ内に磁石を備え、磁石がスポンジの平面視略中央かつ、スポンジの厚さ方向略中心に配置され、磁性体で形成されたシンクの内部側壁に磁石によって着脱自在に取り付けられる食器又は調理器具洗浄用スポンジ。
【発明の詳細な説明】
【技術分野】
【０００１】  本発明は、食器又は調理器具洗浄用スポンジに関するものである。
【背景技術】
【０００２】  従来、食器又は調理器具洗浄用スポンジは、シンク内部底面や特許文献１に示されたようなあとづけのラック等に置いていたものである。
【先行技術文献】
【特許文献】
【０００３】
【特許文献１】特開２００９−０１１３９４号公報
【発明の概要】
【発明が解決しようとする課題】
【０００４】  従来の衛生的、あるいは空間的に問題のあった食器又は調理器具洗浄用スポンジをより衛生的に場所をとることなく乾燥可能とすること。
【課題を解決するための手段】
【０００５】  スポンジ内に磁石を備え、磁石がスポンジの平面視略中央かつ、スポンジの厚さ方向略中心に配置され、磁性体で形成されたシンクの内部側壁に磁石によって着脱自在に取り付けられる食器又は調理器具洗浄用スポンジ
【発明の効果】
【０００６】  食器又は調理器具洗浄用スポンジをより衛生的に場所をとることなく乾燥可能とすることができる。
【図面の簡単な説明】
【０００７】
【図１】本発明の実施形態に係る食器又は調理器具洗浄用スポンジ１０の斜視図
【図２】本発明の実施形態に係る食器又は調理器具洗浄用スポンジ１０の使用状態を示す斜視図
【発明を実施するための形態】
【０００８】  以下、本発明の実施の形態を説明する。
ネットで覆われた、スポンジ（１）内に磁石を備え、磁石（２）がスポンジ（１）の平面視略中央かつスポンジ（１）の厚さ方向略中心に配置され、磁性体で形成されたシンク（２０）の内部側壁に磁石（２）によって着脱自在に取りつけられる食器又は調理器具洗浄用スポンジ（１０）。
食器又は調理器具洗浄用スポンジ（１０）は以下のように
使用する。
食器又は調理器具洗浄用スポンジ（１０）を使用する時は、スポンジ（１）を水で濡らし、食器洗い用中性洗剤をつけ使用し、使用後は磁石（２）部を磁性体で形成されたシンク（２０）の内部側壁にくっつけて乾燥させる。
【符号の説明】
【０００９】１  スポンジ  ２  磁石
１０  食器又は調理器具洗浄用スポンジ
２０  シンク
【図１】
2020185357.tif 000003
【図２】
2020185357.tif 000004
(57)【要約】【課題】金属ばねを使用しないことを特徴とする洗濯バサミを提供する。【解決手段】挟み部材の背面又は横に突起を設け、そこに弾性体を装着することを特徴とする洗濯バサミ。【選択図】図１
2020185352.tif 000002
【特許請求の範囲】
【請求項１】
洗濯バサミの挟み部材に突起を設け、両挟み部材を支点で合して、該突起周辺に輪ゴム等の弾性体を装着し、挟持部の挟持面と支点に力をかけることを特徴とする洗濯バサミ。
【請求項２】
挟み部材の両側に挟持部を設けた請求項１の洗濯バサミ。
【発明の詳細な説明】
【技術分野】
【０００１】  本発明は洗濯バサミに関するものである。
【背景技術】
【０００２】  従来からある洗濯バサミは、前方に挟持部を後方には把持部を有し、中央の支点部で一対となった両挟み部材の挟持部背面を金属の弾性部材が押圧し、挟持部で洗濯物を挟持するようになっている。
【先行技術文献】
【特許文献】
【０００３】
【特許文献１】特開２０１２−０００４０４
【特許文献２】特開２００４−０８１５４５
【発明の概要】
【発明が解決しようとする課題】
【０００４】従来の洗濯バサミには、次のような問題がある。
（イ）金属を使用しているためＭＲＩ室等の磁界空間では使用できない。
（ロ）強風にも洗濯物が保持できるよう金属の弾性にて強力な把持力を有しているが、室内で使用するときには強すぎる保持力である。
（ハ）そのため、洗濯バサミ使用時に拇指と示指に対する負担は大きく、いつの間にか手指関節を損傷している場合がある。特に、関節リウマチ等の関節の病気の人には、洗濯バサミの多用は手指関節破壊につながる可能性が十分ある。
本発明は、以上の問題を解決しようとするものである。
【課題を解決するための手段】
【０００５】洗濯バサミの挟み部材に突起を設け、両挟み部材を支点で合してから、該突起周辺に輪ゴム等の弾性体を装着し、挟持部の挟持面と支点に力をかけることを特徴とする洗濯バサミを提供するものである。
【発明の効果】
【０００６】（イ）  磁場のあるＭＲＩ室で使用できる。
（ロ）  金属ばねの強い力に指がさらされない。
（ハ）  挟持部での挟む力をある程度調節できる。
（ニ）  支点の両側にも挟持部を設けることができる。
【図面の簡単な説明】
【０００７】
【図１】本発明の斜視図である。
【図２】本発明の挟持部を閉じたときと開いたときの側面図である。
【図３】挟持部を両側に設けて、突起も支点部の両側に設けた側面図。
【発明を実施するための形態】
【０００８】  以下、本発明で実施の形態について説明する。
（イ）挟み部材の背面又は横に突起を設けた洗濯バサミ。
（ロ）挟み部材を支点で合し挟持面を接した状態で（イ）で設けた突起周辺に輪ゴム等の弾性素材を巻いた洗濯バサミ。
（ハ）挟持部を挟み部材の両側に設け、且つ、（イ）で述べた突起を持つ洗濯バサミ。
本発明は以上のような構成である。
本発明を使用するときは、挟持する力を考慮して弾性素材を使い易い位置に装着する。
図１では挟み部材の背面２か所の突起間に輪ゴムを巻いた状態を示している。突起は輪ゴム等の弾性体を安定させるためのものであり、突起が挟み部材の横にあっても良いし多数でも良い。図２ａでは挟持部を閉じた状態を、図２ｂでは挟持部を開いた状態を示してある。図３では挟み部材の両側に挟持部を設けた洗濯バサミを示してある。弾性体を装着する位置にて挟む力が変わり又切り欠き部の広さも変化する。
【符号の説明】
【０００９】  １  洗濯バサミ
２  挟み部材
３  挟持部
４  挟持面
５  把持部
６  支点部
７  突起
８  切り欠き部
９  弾性体
１０  手指
【図１】
2020185352.tif 000003
【図２】
2020185352.tif 000004
【図３】
2020185352.tif 000005
(57)【要約】      （修正有）【課題】患者が自己の意思により、手で自在に開閉することができる人工肛門用開閉自在口形成装具を提供する。【解決手段】両端に開口部を有する筒状体１０の外周壁に、複数の縫合糸挿通孔２１を有するフランジ部２０が形成されていると共に、当該筒状体１０の一方の開口部に開閉自在の蓋部３０が取り付けられる。【選択図】図２
2020185335.tif 000002
【特許請求の範囲】
【請求項１】
両端に開口部を有する筒状体の外周壁に、複数の縫合糸挿通孔を有するフランジ部が形成されていると共に、当該筒状体の一方の開口部に開閉自在の蓋部が取り付けられていることを特徴とする人工肛門用開閉自在口形成装具。
【請求項２】
前記蓋部がスクリューキャップで、螺合により着脱自在に筒状体に取り付けられていることを特徴とする請求項１記載の人工肛門用開閉自在口形成装具。
【発明の詳細な説明】
【技術分野】
【０００１】
本発明は人工肛門用開閉自在口形成装具、更に詳細には人工肛門に縫合固定することにより、患者による開閉が自在な開口部を形成する開閉自在口形成装具に関する。
【背景技術】
【０００２】
直腸癌等の疾患に対しては人工肛門が形設されるケースが多く見られる。人工肛門は腹部に孔を開けて腸を引き出し、それを反転せしめて腹壁に縫合して開口部が形設されるものであるため、患者は自己の意思で当該開口部を開閉し、便の排泄をコントロールすることはできない。そこで、患者は便を受納する専用の袋（パウチ）を人工肛門の周囲に常に装着して排便を管理していたのが実状であった。
しかしながら、このパウチは排便に合わせて交換の必要があると共に、交換用の付属品を携帯せざるを得ず、また便の漏れによる悪臭の発生や皮膚かぶれ等が生じると云う問題があり、その不便さと不快さは人工肛門患者の等しく痛感するところであった。
【０００３】
斯かるパウチの不便さと不快さを解消するために、従来、腸開口部周辺体内に熱により拡縮する形状記憶合金製リングと加熱用電源を埋め込み、通電により当該リングを変形させて人工肛門の開口部を開閉する装具が既に報告されている（例えば、特許文献１参照）。
しかしながら、当該形状記憶合金製リングの拡縮による確実な開閉作動は困難、特に閉止時の密閉状態の保持と開口時の排便開口径の確保を反復的に確実に制御することは極めて困難と云う問題があったと共に、体内に埋め込まれた電源の長期確保も困難で、その交換の都度手術が余儀なくされ、患者の大きな負担が避けられないのが実状であった。
【先行技術文献】
【特許文献】
【０００４】
【特許文献１】特開平４−３１９３４９号公報
【発明の概要】
【発明が解決しようとする課題】
【０００５】
本発明は、上記の如き従来の問題と実状に鑑みてなされたものであり、電源等を用いずに、患者が自己の意思に従がい、手で自在に開閉することができる人工肛門開閉自在口形成装具を提供することを課題としている。
【課題を解決するための手段】
【０００６】
本発明者は、上記の課題を解決すべく種々研究を重ねた結果、人工肛門に縫合可能な栓タイプの開閉口形成装具を用いれば、極めて良い結果が得られることを見い出し、本発明を完成した。
【０００７】
すなわち、本発明は、両端に開口部を有する筒状体の外周壁に、複数の縫合糸挿通孔を有するフランジ部が形成されていると共に、当該筒状体の一方の開口部に開閉自在の蓋部が取り付けられていることを特徴とする人工肛門用開閉自在口形成装具により上記課題を解決したものである。
【発明の効果】
【０００８】
本発明によれば、蓋部とは反対側の筒状体端部を人工肛門に挿入し、フランジ部の縫合糸挿通孔を利用して人工肛門部に縫合固定すれば、患者による開閉自在の開口部が形成される。
すなわち、患者は自己の意思に従い、手で筒状体の蓋部を開閉することにより、自在に排便とその停止を確実に行なうことができる。
その結果、従来のパウチの常時着用は不要であり、また従来の電源交換手術も不要となり、患者は従来の人工肛門がもたらす不便さ、不快さ、負担から解放され、健常人と同様な日常生活を営むことができる。
【図面の簡単な説明】
【０００９】
【図１】本発明人工肛門用開閉口形成装具の正面説明図。
【図２】本発明人工肛門用開閉口形成装具の断面説明図。
【図３】蓋部を取り外した本発明人工肛門用開閉口形成装具の斜視説明図。
【図４】蓋部を取り外した本発明人工肛門用開閉口形成装具の平面説明図。
【発明を実施するための形態】
【００１０】
以下本発明の実施の形態を図面と共に説明する。
【００１１】
図面において、１０は筒状体で、その上端及び下端にそれぞれ開口部１１，１２を有する。２０は複数の縫合糸挿通孔２１を有するフランジ部で、筒状体１０の下端開口部１２側寄りの外周壁に形成されている。このフランジ部２０の形状は特に限定されないが、図１及び図２に示す如く、筒状体１０の外周壁側において肉厚となっていると共に、外方に向うに従って徐々に肉薄となりつつ、丸味を帯びた突出端となる断面略三角形状とするのが、縫合固定時における生体組織との接触面が優しく触れるようになる点でより望ましい。また、このフランジ部２０は筒状体１０とは別体で作製したものを接着剤等により適宜一体化したものであっても良いが、筒状体１０との一体成形体とするのが強度性と便の漏れ防止性に優れ、より望ましい。
【００１２】
３０は蓋部で、筒状体１０の上端開口部１１側に取り付けられている。この蓋体３０は、開閉自在のものであれば特に限定されないが、筒状体１０に螺合により着脱自在に取り付けられるスクリューキャップが、開閉操作性に優れると共に、緊密な閉止作用により、確実な便漏れ防止効果が得られる上でより望ましい。
【００１３】
また、筒状体１０、フランジ部２０及び蓋部３０の材質としては、例えば可塑性樹脂、熱硬化性樹脂等の合成樹脂が好適なものとして挙げられるが、特に蓋部３０については当該合成樹脂の外表面を更にフェルトで被覆したものが縫合固定時における生体組織との接触面が安定かつソフトなものとなり、より望ましい。
【００１４】
次に、上記の実施の形態に係る人工肛門用開閉自在口形成装具の使用方法を説明する。
【００１５】
まず、蓋部３０とは反対側の筒状体１０の端部を人工肛門の開口部に挿入した後、フランジ部２０の縫合糸挿通孔２１を利用して、人工肛門の開口部周囲に縫合し、固定する。この縫合固定により人工肛門の開口部が完全に閉止されるので、便の漏れが生じることはない。
次に、患者が自己の意思により排便しようとするときは、手で単に蓋部３０を開き、適宜袋やストマトレイを利用して排出することができる。他方、排出終了後においては、手で蓋部３０を閉じれば便の漏れは完全に防止される。
従って、本発明人工肛門用開閉自在口形成装具を用いれば、患者は自己の意思により、簡便かつ確実に排便をコントロールすることができる。
【符号の説明】
【００１６】
１０：筒状体
１１：上端開口部
１２：下端開口部
２０：フランジ部
２１：縫合糸挿通孔
３０：蓋部
【図１】
2020185335.tif 000003
【図２】
2020185335.tif 000004
【図３】
2020185335.tif 000005
【図４】
2020185335.tif 000006
(57)【要約】【課題】日々忙しくて、レシートをお財布に入れたままにしたり、紛失しないようにポケットに入れ、時間のある時にレシートを貼付したり、貼付用紙の横に金額を記入する。家計簿をしっかり記帳したい人、簡単に記帳したい人、どちらにも対応できるポケット家計簿にする。【解決手段】表のポケットにレシートを入れ、時間のある時に裏の貼付用紙に貼り、月日と金額を記入する。レシートを貼付するだけ、貼付して月日と金額を記入するだけ、家計簿にしっかり記帳する等、自分で選択できるようにする。【選択図】図１
2020185799.tif 000002
【特許請求の範囲】
【請求項１】
ポケットを付けることによって、レシート等を月別・日別ごとに整理して貼付・記帳できるものである。
【発明の詳細な説明】
【発明の詳細な説明】
【技術分野】
【０００１】この発明は、毎日家計簿を記帳している人と、何日かまとめて記帳している人の両方がレシートをポケットに入れることによって、時間に余裕があるときに記帳できるものである。
【背景技術】
【０００２】レシート等を、一時保管できる家計簿はなかった。
【発明が解決しようとする課題】
【０００３】毎日記帳しても、まとめて記帳しても、レシート等は紛失や、溜めてしまう場合がある。本発明は、いつでも記帳できるものである。
レシートの貼付用紙を見れば、購入した物や金額の明細も見ることができる。
【課題を解決するための手段】
【０００４】月別・日別にポケットを付けてレシート等を入れる。
時間のある時に、レシートを貼付して記帳する。
【発明を実施するための形態】
【０００５】以下、本発明の実施の形態について説明する。
（イ）ポケットは、レシート等が数枚入るような厚さに、幅はレシートよりやや広くする。長さは、１２個のポケットが作れるものとする。
（余り長すぎると全体に大きくなってしまうので注意）
ポケットの材質は、ビニール・布・等でよい。
（ロ）上部の月別、左側の日別は、入れ替えできるようにする。
（ハ）ポケットを付ける材質は板、厚紙、布等。
（ニ）レシート貼付用紙は、簡単な家計簿を作成できるように罫線を作成し、月日・金額も記入できるようにする。
用紙は、記入しなくてレシートを貼付するだけでもよい。
（ホ）ポケットを貼付、又は、縫製する。
【発明の効果】
【０００６】本発明は、毎日家計簿を記帳する時間がないので、お財布にレシートを入れっぱなしになってしまう欠点をなくすために工夫されたものである。
【図面の簡単な説明】
【０００７】
【図１】本発明の正面図でレシートを入れるポケットである。
【図２】本発明の裏の部分で、レシート貼付用紙のポケットである。
【図３】図２のポケットへ入れる用紙である。
【図１】
2020185799.tif 000003
【図２】
2020185799.tif 000004
【図３】
2020185799.tif 000005
(57)【要約】【課題】本発明は、従来の紙等でできたしおりの構造を変更することなく、右ページ（または上ページ）を読んでいたか、または、左ページ（または下ページ）を読んでいたか、また、読んでいたページのおおよその行位置を識別する機能を具備したしおりを提供する。【解決手段】本発明に係わるしおりは、上端に右ページを読んでいたことを示す右ページマーク（２）と、読んでいたおおよそのページ位置を示す行位置マーク（１）、下端に下向きに書かれた左ページマーク（４）とおおよそのページ位置を示す行位置マーク（３）から構成される。下端の左ページマーク・行位置は、上下逆転させて左ページ用のしおりとして使用する。上下見開きの本の場合、右端に上ページマーク（８）・行位置（７）、左端に下向きに書かれた下ページマーク（６）・行位置（５）を配置し、上ページ用のしおり、下ページ用のしおりとして使用する。【選択図】図５
2020185702.tif 000002
【特許請求の範囲】
【請求項１】
右ページマーク（２）と行位置マーク（１）を片側に、及び左ページマーク（４）と行位置マーク（３）をその反対側に設けたことを特徴とするしおり。
【請求項２】
上ページマーク（８）と行位置マーク（７）を片側に、及び下ページマーク（６）と行位置マーク（５）をその反対側に設けたことを特徴とするしおり。
【請求項３】
両面に対してページマークと行位置マークを設けたことを特徴とする請求項１または請求項２に記載のしおり。
【発明の詳細な説明】
【技術分野】
【０００１】
本発明は、書籍等にはさんで使用し、読みかけのページや行位置を示す、しおりに関する。
【先行技術文献】
【特許文献】
【０００２】
【特許文献１】特許第4390158号(P4390158) 特許公報(B1)
【非特許文献】
【０００３】
【非特許文献１】特開2011-025534（解決手段）
【非特許文献２】特開2010-17924（解決手段）
【非特許文献３】特開2009-101674（解決手段）
【発明の概要】
【発明が解決しようとする課題】
【０００４】
上記先行技術にあるように、本をどこまで読んだか、また、どの行まで読んだかを記録するしおりは、従来の紙等でできたしおりの構造に何らかの部品を追加する、または、構造を複雑にすることで、その機能を実現していた。
【０００５】
本発明は、従来の紙等でできたしおりの構造を変更することなく、しおりに印刷する情報を変更するだけで、右ページ（または上ページ）または左ページ（または下ページ）を読んでいたか、かつ、読んでいたページのおおよその行位置を識別できる機能を具備したしおりを提供する。
【課題を解決するための手段】
【０００６】
本発明に係わるしおりは、しおりの上端に右ページを読んでいたことを示す右ページマーク（２）と、読んでいたおおよそのページ位置を示す行位置マーク（１）、下端に下向きに書かれた左ページマーク（４）とおおよそのページ位置を示す行位置マーク（３）から構成される。下端の左ページマーク、行位置は、しおりを上下逆転させて左ページ用のしおりとして使用する。
上下見開きの本の場合、しおりの右端に上ページマーク（８）・行位置（７）、しおりの左端に下向きに書かれた下ページマーク（６）・行位置（５）を配置し、上ページ用のしおり、下ページ用のしおりとして使用する。
当該しおりの素材は特定するものではないが、可撓性を有するものが望ましい。
【発明の効果】
【０００７】
本発明において、縦書きの本の右ページのどの行まで読んだ箇所を記録する場合、しおりを（９）のように挟むことで、右ページのおおよそどの行まで読んだかを記録できる。
【０００８】
また、縦書きの本の左ページのどの行まで読んだ箇所を記録する場合、しおりを上下逆転させて（１０）のように挟むことで、左ページのおおよそどの行まで読んだかを記録できる。
【０００９】
本発明において、横書きの本の上ページのどの行まで読んだ箇所を記録する場合、しおりを（１１）のように挟むことで、上ページのおおよそどの行まで読んだかを記録できる。
【００１０】
また、横書きの本の下ページのどの行まで読んだ箇所を記録する場合、しおりを左右逆転させて（１２）のように挟むことで、下ページのおおよそどの行まで読んだかを記録できる。
【図面の簡単な説明】
【００１１】
【図１】縦書きの本に挿入するしおりの構造である。
【図２】横書きの本に挿入するしおりで構造である。
【図３】本発明を縦書きの本に挿入した場合の例である。
【図４】本発明を横書きの本に挿入した場合の例である。
【図５】本発明の要約を示した図である。
【発明を実施するための形態】
【００１２】
図３ないし図４に本発明の実施例を示す。
図３（９）においてしおりは右ページの１０行目まで読んだことを示す。また、図３（１０）においてしおりは左ページの２０行目まで読んだことを示す。
図４（１１）においてしおりは上ページの１０行目まで読んだことを示す。また、図４（１２）においてしおりは下ページの３０行目まで読んだことを示す）
【符号の説明】
【００１３】
１  右ページ位置
２  右ページマーク
３  左ページ位置
４  左ページマーク
５  下ページ位置
６  下ページマーク
７  上ページ位置
８  上ページマーク
9  縦本にしおりを入れた例（右の10ページまで読んだ例）
10  縦本にしおりを入れた例（左の20ページまで読んだ例）
11  横本にしおりを入れた例（上の10ページまで読んだ例）
12  横本にしおりを入れた例（下の30ページまで読んだ例）
【図１】
2020185702.tif 000003
【図２】
2020185702.tif 000004
【図３】
2020185702.tif 000005
【図４】
2020185702.tif 000006
【図５】
2020185702.tif 000007